(57)【要約】　　　（修正有）【課題】選択したデータのみを相手側に見せることが可能となる携帯電話端末及びコンピュータ・ソフトウエアを提供する。【解決手段】第一の表示画面を第一表示部１４ａに表示させるとともに、異なる第二の表示画面を第二表示部１４ｂに表示させ、あるいは第二表示部１４ｂの表示を消去するよう設定する第一の表示モード設定手段と、第一の表示画面を両方に表示するよう設定する第二の表示モード設定手段と、第二表示部１４ｂに表示させるデータの表示を起動する操作表示画面を第一表示部１４ａに表示させるとともに、表示を起動されたデータの表示画面を第二表示部１４ｂに表示するよう設定する第三の表示モード設定手段と、３種類の表示モード設定手段を選択する表示モード選択手段と、選択された表示モード設定手段に応じて、第一表示部１４ａ及び第二表示部１４ｂに表示するよう制御する制御手段とを備える。【選択図】　　　　図１
2004088552.tif 000002
【特許請求の範囲】
【請求項１】
第一表示部及び第二表示部を有する携帯電話端末において、ユーザの入力を促す第一の操作の表示画面又は第一のデータの表示画面を前記第一表示部に表示させるとともに、第一の操作の表示画面又は第一のデータの表示画面とは異なる第二の操作の表示画面又は第二のデータの表示画面を第二表示部に表示させ、あるいは第二表示部の表示を消去するよう設定する第一の表示モード設定手段と、ユーザの入力を促す第一の操作の表示画面又は第一のデータの表示画面を、前記第一表示部と前記第二表示部の両方に表示するよう設定する第二の表示モード設定手段と、前記第二表示部に表示させるデータの表示を起動する操作表示画面を前記第一表示部に表示させるとともに、表示を起動されたデータの表示画面を前記第二表示部に表示するよう設定する第三の表示モード設定手段と、前記３種類の表示モード設定手段のいずれかを選択する表示モード選択手段と、該表示モード選択手段により選択された表示モード設定手段に応じて、第一表示部及び第二表示部に表示するよう制御する制御手段とを備えることを特徴とする携帯電話端末。
【請求項２】
請求項１記載の携帯電話端末において、
上記第一の表示部と第二の表示部は、両方を一人のユーザから同時には見えないように配置されたことを特徴とする携帯電話端末。
【請求項３】
請求項１又は２に記載の携帯電話端末において、
上記データは、記憶された静止画データ、動画データ、文字データ、又は外部データ入力装置から入力された静止画データ、動画データ、文字データ、さらにはこれらの複合データのいずれかであることを特徴とする携帯電話端末。
【請求項４】
請求項３記載の携帯電話端末において、
上記データは、前記第二表示部への表示の可否を示す第二表示部表示可否情報を含むことを特徴とする携帯電話端末。
【請求項５】
請求項４記載の携帯電話端末において、
前記制御手段は、上記データが含む第二表示部表示可否情報が表示不可を示している時には、該データを第二表示部に表示させないよう制御することを特徴とする携帯電話端末。
【請求項６】
第一表示部及び第二表示部を有する携帯電話端末に使用されるコンピュータ・ソフトウエアであって、
ユーザの入力を促す第一の操作の表示画面又は第一のデータの表示画面を前記第一表示部に表示させるとともに、第一の操作の表示画面又は第一のデータの表示画面とは異なる第二の操作の表示画面又は第二のデータの表示画面を第二表示部に表示させ、あるいは第二表示部の表示を消去するよう設定する第一の表示モード設定機能と、ユーザの入力を促す第一の操作の表示画面又は第一のデータの表示画面を、前記第一表示部と前記第二表示部の両方に表示するよう設定する第二の表示モード設定機能と、前記第二表示部に表示させるデータの表示を起動する操作表示画面を前記第一表示部に表示させるとともに、表示を起動されたデータの表示画面を前記第二表示部に表示するよう設定する第三の表示モード設定機能と、前記３種類の表示モード設定機能のいずれかを選択する表示モード選択機能と、該表示モード選択機能により選択された表示モード設定機能に応じて、第一表示部及び第二表示部に表示するよう制御する制御機能とをコンピュータに実現させるプログラムからなるコンピュータ・ソフトウエア。
【発明の詳細な説明】
【０００１】
【発明の属する技術分野】
本発明は、携帯電話端末及びコンピュータ・ソフトウエアであり、特に二つの表示部を有する携帯電話端末に関わる。
【０００２】
【従来の技術】
現在、いわゆる折り畳み式携帯電話端末が普及している。一般的な折り畳み式携帯電話端末は、ユーザが通話やメール作成等の操作を行わない時に持ち運びしやすいように、テンキー等の入力装置が設置された面と、液晶画面等の表示装置が設置された面とを合わせて折り畳まれる。そのため、折り畳まれた状態では、ユーザは前記表示装置を目視することができない。しかし、この課題は、前記第一の表示装置とは別に、背面に第二の表示装置を備えた折り畳み式携帯電話端末により解決される。具体的には、前記第二の表示装置を、折り畳まれた携帯電話端末の外側の面に設置することで、折り畳まれた状態でも、現在時刻の確認や、着信があった場合の相手電話番号の確認等が可能となる。前記第二の表示装置は電界強度、電池電圧、現在時刻等のあらかじめ決められた情報のみを表示する構成のものが多いが、特開２０００−９３８３７によれば、ユーザが第二表示装置に表示させたい情報を任意に選択することが可能である。
【０００３】
【発明が解決しようとする課題】
しかし、前記第二の表示装置は筐体が折り畳まれた状態の時のみ表示が行われ、筐体が開いた状態の時には、操作を行うユーザが目視できる位置にある第一の表示装置のみが専ら機能し、ユーザの死角に位置する第二の表示装置は表示機能を果たさない。このように同時に一つの表示装置にしか表示されない端末においては、次のような課題が存在した。
【０００４】
第一の課題としては、例えば、ユーザが周りの人に自分が保持している何らかのデータ（画像やメール等）を見せようとした時に、そのデータを見せてもらう人全員が、唯一機能している表示装置の側に移動する必要があり、手間がかかるということである。
【０００５】
また別の課題としては、例えば、ユーザが誰かに自分が保持しているデータを見せようとした時に、相手に見せたいデータと、相手に見せたくないデータが入り混じっている状況があり得る。この時、表示装置がただ一つしか機能していない場合、相手に見られないようにしてデータを探す、探したデータを相手に見せる、見せ終わったら再び相手に見えないようにして次のデータを探す、再び相手に見せる、といったように手間がかかってしまう。
【０００６】
本発明は、従来の問題を解決するものであり、端末の向きを変えずにユーザと反対側にいる相手にも画面を見せることができ、また、表示させたいデータの選択中画面を見られずに、選択したデータのみを相手側に見せることが可能となる携帯電話端末及びコンピュータ・ソフトウエアを提供することである。
【０００７】
【課題を解決するため手段】
本発明は、上記課題を鑑みてなされたもので、第一表示部及び第二表示部を有する携帯電話端末において、ユーザの入力を促す第一の操作の表示画面又は第一のデータの表示画面を前記第一表示部に表示させるとともに、第一の操作の表示画面又は第一のデータの表示画面とは異なる第二の操作の表示画面又は第二のデータの表示画面を第二表示部に表示させ、あるいは第二表示部の表示を消去するよう設定する第一の表示モード設定手段と、ユーザの入力を促す第一の操作の表示画面又は第一のデータの表示画面を、前記第一表示部と前記第二表示部の両方に表示するよう設定する第二の表示モード設定手段と、前記第二表示部に表示させるデータの表示を起動する操作表示画面を前記第一表示部に表示させるとともに、表示を起動されたデータの表示画面を前記第二表示部に表示するよう設定する第三の表示モード設定手段と、前記３種類の表示モード設定手段のいずれかを選択する表示モード選択手段と、該表示モード選択手段により選択された表示モード設定手段に応じて、第一表示部及び第二表示部に表示するよう制御する制御手段とを備える携帯電話端末である。
【０００８】
また、本発明は、上記第一の表示部と第二の表示部は、両方を一人のユーザから同時には見えないように配置された携帯電話端末である。
【０００９】
そして、本発明は、上記データは、記憶された静止画データ、動画データ、文字データ、又は外部データ入力装置から入力された静止画データ、動画データ、文字データ、さらにはこれらの複合データのいずれかである携帯電話端末である。
【００１０】
更に、本発明は、上記データは、前記第二表示部への表示の可否を示す第二表示部表示可否情報を含む携帯電話端末である。
【００１１】
また、本発明は、前記制御手段は、上記データが含む第二表示部表示可否情報が表示不可を示している時には、該データを第二表示部に表示させないよう制御する携帯電話端末である。
【００１２】
そして、本発明は、第一表示部及び第二表示部を有する携帯電話端末に使用されるコンピュータ・ソフトウエアであって、ユーザの入力を促す第一の操作の表示画面又は第一のデータの表示画面を前記第一表示部に表示させるとともに、第一の操作の表示画面又は第一のデータの表示画面とは異なる第二の操作の表示画面又は第二のデータの表示画面を第二表示部に表示させ、あるいは第二表示部の表示を消去するよう設定する第一の表示モード設定機能と、ユーザの入力を促す第一の操作の表示画面又は第一のデータの表示画面を、前記第一表示部と前記第二表示部の両方に表示するよう設定する第二の表示モード設定機能と、前記第二表示部に表示させるデータの表示を起動する操作表示画面を前記第一表示部に表示させるとともに、表示を起動されたデータの表示画面を前記第二表示部に表示するよう設定する第三の表示モード設定機能と、前記３種類の表示モード設定機能のいずれかを選択する表示モード選択機能と、該表示モード選択機能により選択された表示モード設定機能に応じて、第一表示部及び第二表示部に表示するよう制御する制御機能とをコンピュータに実現させるプログラムからなるコンピュータ・ソフトウエアである。
【００１３】
【発明の実施の形態】
本発明の実施の形態を説明する。
本発明の携帯電話端末の実施例について、図１〜図６を用いて説明する。図１は、実施例１の携帯電話端末の外観図である。図２は、実施例１の携帯電話端末の構成図である。図３は、実施例１における画面遷移図１である。図４は、実施例１における画面遷移図２である。図５は、実施例１における画面遷移図３である。図６は、実施例２の携帯電話端末に係るデータの構造の説明図である。
【００１４】
実施例１を説明する。本実施例の携帯電話端末は、第一表示部及び第二表示部を有し、ユーザの入力を促す第一の操作の表示画面又は第一のデータの表示画面を前記第一表示部に表示させるとともに、第一の操作の表示画面又は第一のデータの表示画面とは異なる第二の操作の表示画面又は第二のデータの表示画面を第二表示部に表示させ、あるいは第二表示部の表示を消去するよう設定する第一の表示モード設定手段と、ユーザの入力を促す第一の操作の表示画面又は第一のデータの表示画面を、前記第一表示部と前記第二表示部の両方に表示するよう設定する第二の表示モード設定手段と、前記第二表示部に表示させるデータの表示を起動する操作表示画面を前記第一表示部に表示させるとともに、表示を起動されたデータの表示画面を前記第二表示部に表示するよう設定する第三の表示モード設定手段と、前記３種類の表示モード設定手段のいずれかを選択する表示モード選択手段と、該表示モード選択手段により選択された表示モード設定手段に応じて、第一表示部及び第二表示部に表示するよう制御する制御手段とを備えている。
【００１５】
実施例１の携帯電話端末の外観図を図１に示す。図１（ａ）は筐体を開いた時の正面図、図１（ｂ）は筐体を開いた時の背面図、図１（ｃ）は折り畳んだ時の正面図である。本実施例の携帯電話端末は、図１に示すように、筐体上部１１、筐体下部１２、筐体接合部１３、液晶ディスプレイ等からなる第一表示部１４ａ及び第二表示部１４ｂ、表示モード選択部１５、アンテナ１６、スピーカ１７、テンキー等の入力部１８、マイク１９を有する。筐体上部１１と筐体下部１２は、筐体接合部１３を介して折り畳むことが可能な構成となっている。本実施例では折り畳み式であるとしているが、ストレート型の筐体であっても良い。
【００１６】
実施例１の携帯電話端末は、構成図を図２に示すように、無線により通信回線の確立を行う通信部２１、音声変復調処理を行う音声処理部２２、マイクやスピーカ等の音声入出力部２３、携帯電話端末全体の制御を行う制御部２４、表示モード設定部２５、表示指示部２６、メインプログラムや様々なユーザデータを記憶しておく記憶部２７、ユーザからの入力を受付るキー入力部２８、ＰＣ等の外部機器からデータを取込む外部データ入力部２９である。表示モード設定部２５は、第一表示モード２５１〜第三表示モード２５３から構成され、３種類の表示モードを設定する。表示指示部２６は、第一表示部２６ａと第二表示部２６ｂとから構成され、表示部に表示するデータ等を指示する。また、本実施例では、記憶部２７はユーザデータとして画像データ群２７１を記憶している。ただし、本実施例では、ユーザデータは画像データに限定しないし、表示するデータはあらかじめ記憶部２７に記憶しているものに限定せず、外部データ入力部２９より取込んだデータであっても良い。キー入力部２８には第一表示部及び第二表示部の表示内容を設定する３種類の表示モード設定手段を選択する表示モード選択部２８１が含まれる。
【００１７】
実施例１の携帯電話端末における操作方法の一例について、図３〜図５を用いて説明する。図３〜５は、実施例１の携帯電話端末における第一表示部１４ａ及び第二表示部１４ｂの画面遷移例である。ここでは、表示モード選択部２８１で選択可能な第一表示部１４ａ及び第二表示部１４ｂに対する表示モード設定手段について、ユーザの入力を促す操作画面又はデータ表示画面を第一表示部１４ａのみに表示を行い、第二表示部１４ｂには行わないよう制御するモードを「通常モード」（第一の表示モード）、ユーザの入力を促す操作画面及びデータ表示画面を、第一表示部１４ａと第二表示部１４ｂの両方に表示するよう制御するモードを「公開モード」（第二の表示モード）、第二表示部１４ｂに表示するデータの選択を促す表示画面を第一表示部１４ａに表示し、選択されたデータを第二表示部１４ｂに表示するよう制御するモードを「上映モード」（第三の表示モード）を呼ぶことにする。
【００１８】
まず、表示モード選択部１５により「通常モード」が選択されている状態で、第一表示部１４ａがサムネイル形式で画像データ３１ａを表示しているとする。この時点では、第二表示部１４ｂには何も表示されていない（３１ｂ）。表示画面３１ａにおいて、ユーザが表示したいデータを選択し「再生」キーを押下すると、第一表示部１４ａは選択された画像データ３２ａを表示する。ここで、表示モード選択部１５により「通常モード」から「公開モード」に切り替えると、第一表示部１４ａが表示していた画像データ３３ａを、第二表示部１４ｂも同様に表示する（３３ｂ）。表示モード選択部１５によるモード切替のタイミングに対する制限は特になく、画面表示３１ａ中に「公開モード」に切り替えれば、その時点での第一表示部１４ａの画面３４ａと同じ表示を第二表示部１４ｂにも行い（３４ｂ）、続けて「再生」キーを押下すると表示画面３３ａ、３３ｂと同じ状態になる。また、ここでは図示していないが、第二表示部１４ｂが表示を行っているときには、その旨をユーザに通知するための表示を第一表示部１４ａに行うことが望ましい。なお、ここでは記憶部２７に記憶した画像データを表示する例を示したが、アドレス帳、メール本文、ブラウザ閲覧画面等の表示、着信したメールに添付されているデータ等の表示、さらには接続した外部機器に記憶されているデータ等の表示、撮像装置から取り込んだ映像データの表示についても同様である。
【００１９】
以上により、第一表示部１４ａの視野角内にいる人だけでなく、第二表示部１４ｂの視野角内にいる人も表示画面を確認することができるため、他人に表示画面を見せたい場合に、携帯電話端末を相手側に向けたり、相手に第一表示部１４ａ側に移動してもらう必要がなくなる。
【００２０】
次に、実施例１の携帯電話端末における別の操作方法について、図４を用いて説明する。表示モード選択部１５により「上映モード」が選択されると、第一表示部１４ａ及び第二表示部１４ｂの直前の画面に関わらず、第一表示部１４ａは表示データ選択画面４１ａとなり、第二表示部１４ｂは何も表示しない状態になる（４１ｂ）。第一表示部１４に表示された表示データ選択画面４１ａでは、まず、「データフォルダ」、「メールボックス」、「アドレス帳」のようなデータ種別の選択を促すように制御される。ここで、ユーザが「データフォルダ」を選択すると、記憶部２７に記憶したデータフォルダ中にある表示可能な画像データ一覧４２ａを第一表示部１４ａに表示するが、第二表示部１４ｂには、何も表示されない（４２ｂ）。その中から表示させたい画像データを選択して「再生」キーを押下すると、第二表示部１４ｂは選択された画像データ４３ｂを表示する。この時、第一表示部１４ａには画像データ選択画面４３ａが表示されたままとなる。なお、この状態で、ユーザは別の画像データを選択することが可能であり、選択された画像データを同様にして第二表示部１４ｂに表示することができる。
【００２１】
これにより、ユーザは、相手に見せたい画像データと、見せたくない画像データが入り混じった画像データ選択画面（第一表示部１４ａ）を相手に見せることなく、相手に見せたい画像データのみを別の表示部（第二表示部１４ｂ）に表示させることが可能となる。
【００２２】
実施例２を説明する。本実施例の携帯電話端末は、実施例１と同様である。相違点を説明すると、上記実施例１では、全ての画面表示を行う「公開モード」の設定を「上映モード」に変更して選択したデータ表示のみを第二表示部１４ｂに表示させ、他人に見せたくないデータを誤って表示しないようにしたが、実施例２では、データ自体に「公開可／不可」を示す識別子を持たせる。例えば、「通常モード」に設定されている状態で、第一表示部１４ａ、第二表示部１４ｂの画面が５１ａ、５１ｂのようになっていて、表示されている画像データ５１ａの中に「公開不可」設定されている画像があるとする。ここで、表示モード選択部１５により「公開モード」に切替えると、第二表示部１４ｂには「公開不可」設定されている画像データ以外について第一表示部１４ａと同じような表示を行う（５２ａ、５２ｂ）。さらに、ユーザが「公開不可」設定されている画像データを表示しようとすると、第一表示部１４ａへの表示は行うが、第二表示部１４ｂには何も表示しない。また、第一表示部１４ａには「この画像はロックされています」のように「公開不可」設定がされていて第二表示部１４ｂに表示できない旨を通知する表示を行う（５３ａ、５３ｂ）。「上映モード」が設定されている場合にも同様である。これにより、通常モードとすべき表示内容についても、「公開不可」が設定されておれば、公開モードを実行中でも通常モードの表示とすることができる。
【００２３】
実施例２におけるデータ構造の具体的な一例を図６に示す。データはヘッダ部６１とデータ部６２から構成され、ヘッダ部６１には「公開可／不可」を示す第二表示部表示可否情報６１１が含まれる。実施例２の携帯電話端末は、データ内の「公開可／不可」を示す第二表示部表示可否情報６１１により、このデータを第二表示部１４ｂに表示することはない。
【００２４】
なお、上記実施例では、携帯電話端末を説明したが、ユーザの入力を促す第一の操作の表示画面又は第一のデータの表示画面を前記第一表示部に表示させるとともに、第一の操作の表示画面又は第一のデータの表示画面とは異なる第二の操作の表示画面又は第二のデータの表示画面を第二表示部に表示させ、あるいは第二表示部の表示を消去するよう設定する第一の表示モード設定機能と、ユーザの入力を促す第一の操作の表示画面又は第一のデータの表示画面を、前記第一表示部と前記第二表示部の両方に表示するよう設定する第二の表示モード設定機能と、前記第二表示部に表示させるデータの表示を起動する操作表示画面を前記第一表示部に表示させるとともに、表示を起動されたデータの表示画面を前記第二表示部に表示するよう設定する第三の表示モード設定機能と、前記３種類の表示モード設定機能のいずれかを選択する表示モード選択機能と、該表示モード選択機能により選択された表示モード設定機能に応じて、第一表示部及び第二表示部に表示するよう制御する制御機能とをコンピュータに実現させるプログラムからなるコンピュータ・ソフトウエア又はこれをコンピュータ読取可能な記録媒体（例えばＣＤ−ＲＯＭ）を使用することにより、本発明の携帯電話端末を得ることができる。また、携帯電話端末以外のコンピュータにも適用可能である。
【００２５】
【発明の効果】
本発明によれば、端末の向きを変えずにユーザと反対側にいる相手にも画面を見せることができ、また、表示させたいデータの選択中画面を見られずに、選択したデータのみを相手側に見せることが可能となる携帯電話端末を得ることができる。
【図面の簡単な説明】
【図１】実施例１の携帯電話端末の外観図。
【図２】実施例１の携帯電話端末の構成図。
【図３】実施例１における画面遷移図１。
【図４】実施例１における画面遷移図２。
【図５】実施例１における画面遷移図３。
【図６】実施例２の携帯電話端末に係るデータの構造の説明図。
【符号の説明】
１１　筐体上部
１２　筐体下部
１３　筐体結合装置
１４ａ　第一表示装置
１４ｂ　第二表示装置
１５　表示モード選択部
１６　アンテナ
１７　スピーカ
１８　入力装置
１９　マイク
３１ａ〜５３ｂ　表示部における表示画面
【図１】
2004088552.tif 000003
【図２】
2004088552.tif 000004
【図３】
2004088552.tif 000005
【図４】
2004088552.tif 000006
【図５】
2004088552.tif 000007
【図６】
2004088552.tif 000008